(57)【要約】【課題】認証媒体を用いて所望の操作の少なくとも一部を行うことが可能な画像処理装置を提供すること。【解決手段】カードリーダー１７は、認証情報が記憶又は表示されたＩＣカード２０を検知してＩＣカード２０から前記認証情報を読み取る。認証処理部１６１は、カードリーダー１７により読み取られる前記認証情報に基づいてユーザー認証を行う。処理実行部１６２は、カードリーダー１７により同一のＩＣカード２０が予め定められた検知パターンで複数回検知された場合に、当該検知パターンに対応付けられた予め設定された処理を実行する。【選択図】図４
2018034319.tif 000002
【特許請求の範囲】
【請求項１】
認証情報が記憶又は表示された認証媒体を検知して当該認証媒体から前記認証情報を読み取る読取部と、
前記読取部により読み取られる前記認証情報に基づいてユーザー認証を行う認証処理部と、
前記読取部により同一の前記認証媒体が予め定められた検知パターンで複数回検知された場合に、当該検知パターンに対応付けられた予め設定された処理を実行する処理実行部と、
を備える画像処理装置。
【請求項２】
前記検知パターンが、前記読取部により同一の前記認証媒体が予め定められた時間内に断続的に複数回検知されるパターンである、
請求項１に記載の画像処理装置。
【請求項３】
前記検知パターンが、前記読取部により同一の前記認証媒体が予め定められた時間間隔を空けずに断続的に複数回検知されるパターンである、
請求項１又は請求項２に記載の画像処理装置。
【請求項４】
前記処理実行部は、前記読取部により同一の前記認証媒体が断続的に複数回検知されたときの検知回数及び検知間隔の少なくとも一方に基づいて前記検知パターンを判定する、
請求項１〜３のいずれかに記載の画像処理装置。
【請求項５】
前記処理実行部は、前記読取部により同一の前記認証媒体が予め定められた複数の検知パターンのうちのいずれかの検知パターンで複数回検知された場合に、予め設定された複数の処理の中から当該検知パターンに対応する処理を選択して実行する、
請求項１〜４のいずれかに記載の画像処理装置。
【請求項６】
前記予め設定された処理が、前記読取部により読み取られる前記認証情報に対応するユーザーに関連する処理を含む、
請求項１〜５のいずれかに記載の画像処理装置。
【請求項７】
前記予め設定された処理が、前記画像処理装置において処理すべき未処理ジョブのうち、前記読取部により読み取られる前記認証情報に対応するユーザーのジョブの優先順位を高くする処理を含む、
請求項６に記載の画像処理装置。
【請求項８】
前記予め設定された処理が、前記画像処理装置において処理すべき未処理ジョブのうち、前記読取部により読み取られる前記認証情報に対応するユーザーのジョブをキャンセルする処理を含む、
請求項６に記載の画像処理装置。
【請求項９】
前記読取部により前記認証媒体が検知されてから前記処理実行部により前記予め設定された処理が実行されるまでの間に、前記予め設定された処理に関連する情報を表示する表示制御部を更に備える、
請求項１〜８のいずれかに記載の画像処理装置。
【発明の詳細な説明】
【技術分野】
【０００１】
本発明は、ＩＣカードのような認証媒体を用いてユーザー認証を行うことが可能な画像処理装置に関する。
【背景技術】
【０００２】
ユーザーＩＤなどの認証情報が記憶されたＩＣカードのような認証情報提供媒体（以下、単に「認証媒体」と称する）を用いてユーザー認証を行うことが可能な画像形成装置が知られている（例えば、特許文献１参照）。
【０００３】
前記画像形成装置では、前記認証媒体と通信することにより当該認証媒体を所持しているユーザーが画像形成装置の近くにいるか否かを判定し、前記ユーザーが画像形成装置の近くに居る場合にのみ当該ユーザーの印刷ジョブが実行される。これにより、守秘性の高い印刷物が他人の目に触れることを防止することができる。
【先行技術文献】
【特許文献】
【０００４】
【特許文献１】特開２００９−１１３３２０号公報
【発明の概要】
【発明が解決しようとする課題】
【０００５】
しかしながら、前記画像形成装置では、前記認証媒体は、当該認証媒体を所持しているユーザーが画像形成装置の近くにいるか否かを判定するために用いられるに過ぎない。よって、ユーザーは、画像形成装置に対して所望の操作を行いたい場合に、前記認証媒体によるユーザー認証が行われた後に、操作パネル等を通じて所望の操作を行う必要がある。
【０００６】
本発明の目的は、認証媒体を用いて所望の操作の少なくとも一部を行うことが可能な画像処理装置を提供することにある。
【課題を解決するための手段】
【０００７】
本発明の一の局面に係る画像処理装置は、読取部と、認証処理部と、処理実行部と、を備える。前記読取部は、認証情報が記憶又は表示された認証媒体を検知して当該認証媒体から前記認証情報を読み取る。前記認証処理部は、前記読取部により読み取られる前記認証情報に基づいてユーザー認証を行う。前記処理実行部は、前記読取部により同一の前記認証媒体が予め定められた検知パターンで複数回検知された場合に、当該検知パターンに対応付けられた予め設定された処理を実行する。
【発明の効果】
【０００８】
本発明によれば、認証媒体を用いて所望の操作の少なくとも一部を行うことが可能な画像処理装置が提供される。
【図面の簡単な説明】
【０００９】
【図１】図１は、本発明の実施形態に係る画像処理装置のシステム構成を示すブロック図である。
【図２】図２は、本発明の実施形態に係る画像処理装置の外観を示す図である。
【図３】図３は、本発明の実施形態に係る画像処理装置で用いられるカード操作情報の一例を示す図である。
【図４】図４は、本発明の実施形態に係る画像処理装置で実行されるカード操作処理の手順の一例を示すフローチャートである。
【図５】図５は、本発明の実施形態に係る画像処理装置で検知される検知パターンの一例を示す図である。
【図６】図６は、本発明の実施形態に係る画像処理装置で検知される検知パターンの一例を示す図である。
【図７】図７は、本発明の実施形態に係る画像処理装置で用いられるジョブキューの一例を示す図である。
【図８】図８は、本発明の実施形態に係る画像処理装置で用いられるジョブキューの一例を示す図である。
【図９】図９は、本発明の実施形態に係る画像処理装置で用いられるジョブキューの一例を示す図である。
【図１０】図１０は、本発明の実施形態に係る画像処理装置で用いられるカード操作リスト画面の一例を示す図である。
【図１１】図１１は、本発明の変形例に係る画像処理装置で検知される検知パターンの一例を示す図である。
【図１２】図１２は、本発明の変形例に係る画像処理装置で検知される検知パターンの一例を示す図である。
【図１３】図１３は、本発明の変形例に係る画像処理装置で検知される検知パターンの一例を示す図である。
【図１４】図１４は、本発明の変形例に係る画像処理装置で用いられるジョブキューの一例を示す図である。
【発明を実施するための形態】
【００１０】
以下添付図面を参照しながら、本発明の実施形態について説明し、本発明の理解に供する。なお、以下の実施形態は、本発明を具体化した一例であって、本発明の技術的範囲を限定するものではない。
【００１１】
［画像処理装置の構成］
図１及び図２に示されるように、本発明の実施形態に係る画像処理装置１は、操作表示部１０、ＡＤＦ（Auto Document Feeder）１１、画像読取部１２、画像形成部１３、通信Ｉ／Ｆ１４、記憶部１５、制御部１６、及びカードリーダー１７（本発明の「読取部」の一例）などを備える。具体的に、画像処理装置１は、プリンター機能、スキャナー機能、コピー機能、及びファクシミリ機能などを有する複合機である。なお、本発明は、複合機に限らず、コピー機、プリンター、ファクシミリ装置のような任意の画像処理装置に適用可能である。
【００１２】
操作表示部１０は、情報を表示する液晶ディスプレーなどの表示部と、ユーザー操作を受け付けるタッチパネル及び操作ボタンなどの操作部とを備える。
【００１３】
ＡＤＦ１１は、原稿セット部、搬送ローラー、原稿押さえ、及び排紙部を備え、画像読取部１２の読み取り対象となる原稿を搬送する自動原稿搬送装置である。
【００１４】
画像読取部１２は、原稿台、光源、ミラー、光学レンズ、及びＣＣＤ（Charge Coupled Device）を備え、原稿の画像を読み取って画像データとして出力することが可能である。
【００１５】
画像形成部１３は、電子写真方式又はインクジェット方式で画像データに基づく印刷処理を実行することが可能であり、前記画像データに基づいてシート上に画像を形成する。例えば、画像形成部１３が電子写真方式の画像形成部である場合、画像形成部１３は感光体ドラム、帯電器、露光装置、現像装置、転写装置、及び定着装置などを備える。
【００１６】
通信Ｉ／Ｆ１４は、電話回線、インターネット、又はＬＡＮなどの通信網を介して、外部のファクシミリ装置又はパーソナルコンピューターなどの情報処理装置との間で所定の通信プロトコルに従った通信処理を実行することが可能な通信インターフェイスである。
【００１７】
記憶部１５は、ハードディスク又はＥＥＰＲＯＭ（登録商標）などの不揮発性の記憶部である。記憶部１５には、制御部１６によって実行される各種の制御プログラム、及び各種のデータなどが記憶される。
【００１８】
制御部１６は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００１９】
具体的に、制御部１６は、認証処理部１６１、処理実行部１６２、ジョブ管理部１６３、及び表示制御部１６４を含む。なお、制御部１６は、前記制御プログラムに従って各種の処理を実行することによりこれらの各処理部として機能する。また、制御部１６は、これらの各処理部の一部又は複数の処理機能を実現する電子回路を備えるものであってもよい。
【００２０】
カードリーダー１７は、ＮＦＣ（Near Field Communication）のような非接触通信によって、ユーザーが保有するＩＣカード２０（本発明の「認証媒体」の一例）からユーザーＩＤのような認証情報を読み取ることが可能である。図２に示されるように、カードリーダー１７は、画像処理装置１の上部に設けられたカード載置台１８に内蔵されている。ユーザーが、カード載置台１８に接触又は接近させるようにＩＣカード２０をかざすと、カードリーダー１７は、当該ＩＣカード２０を検知して、当該ＩＣカード２０に記憶されている前記認証情報を読み取る。
【００２１】
認証処理部１６１は、カードリーダー１７により読み取られる前記認証情報に基づいてユーザー認証を行う。ユーザーは、自分の保有するＩＣカード２０をカードリーダー１７（カード載置台１８）にかざすことにより、画像処理装置１にログインして、画像処理装置１の使用を開始することができる。
【００２２】
なお、ＩＣカード２０は、非接触型に限らず、接触型であってもよい。また、ＩＣカード２０に記憶されている前記認証情報をカードリーダー１７で読み取る構成の代わりに、例えば、カード上にバーコードとして表示された前記認証情報をバーコードリーダー（本発明の「読取部」の他の一例）で読み取る構成を採用してもよい。
【００２３】
ところで、ＩＣカード２０は、一般的には、上記のようにユーザー認証を行うために用いられる。よって、一般的には、ユーザーは、画像処理装置１に対して所望の操作を行いたい場合に、ＩＣカード２０によるユーザー認証が行われた後に、操作表示部１０を通じて所望の操作を行う必要がある。これに対して、本実施形態に係る画像処理装置１では、以下で説明するような構成及び動作により、ＩＣカード２０を用いて所望の操作の少なくとも一部を行うことが可能である。
【００２４】
処理実行部１６２は、カードリーダー１７により同一のＩＣカード２０が予め定められた検知パターンで複数回検知された場合に、当該検知パターンに対応付けられた予め設定された処理を実行する。具体的には、処理実行部１６２は、カードリーダー１７により同一のＩＣカード２０が予め定められた複数の検知パターンのうちのいずれかの検知パターンで複数回検知された場合に、予め設定された複数の処理の中から当該検知パターンに対応する処理を選択して実行する。例えば、処理実行部１６２は、図３に示されるようなカード操作情報３０に基づいて、前記検知パターンに対応付けられた処理を実行する。カード操作情報３０は、例えば、前記ＲＯＭ又は記憶部１５に予め記憶されている。なお、同一のＩＣカード２０であるか否かは、ＩＣカード２０から読み取られる前記認証情報に基づいて判定することができる。
【００２５】
前記検知パターンに応じて処理実行部１６２により実行される処理は、例えば、カードリーダー１７により読み取られる前記認証情報に対応するユーザーに関連する処理であってもよい。例えば、前記検知パターンに応じて処理実行部１６２により実行される処理が、画像処理装置１において処理すべき未処理ジョブのうち、カードリーダー１７により読み取られる前記認証情報に対応するユーザーのジョブの優先順位を変更する処理を含んでいてもよい。もしくは、前記検知パターンに応じて処理実行部１６２により実行される処理が、画像処理装置１において処理すべき未処理ジョブのうち、カードリーダー１７により読み取られる前記認証情報に対応するユーザーのジョブをキャンセルする処理を含んでいてもよい。
【００２６】
ジョブ管理部１６３は、画像処理装置１において処理すべき未処理ジョブを管理する。ジョブ管理部１６３は、例えば、図７に示されるようなジョブキュー４０によって、画像処理装置１において処理すべき未処理ジョブの優先順位を管理する。ジョブキュー４０は、例えば、記憶部１５に記憶される。画像処理装置１に新たなジョブが入力されると、当該ジョブがジョブキュー４０に追加される。ジョブキュー４０に記憶されている未処理ジョブは、優先順位に応じた順番で順次実行される。なお、他の実施形態では、ジョブ管理部１６３が、画像処理装置１と通信可能なサーバー装置に設けられていてもよい。この場合、画像処理装置１は、前記サーバー装置に記憶されているジョブキュー４０内の未処理ジョブを、優先順位に応じた順番で当該サーバー装置から順次取得して実行してもよい。
【００２７】
表示制御部１６４は、操作表示部１０に種々の情報を表示したり、画像処理装置１を操作するための操作画面などを表示したりする。
【００２８】
［カード操作処理］
次に、図４を参照しつつ、制御部１６によって実行されるカード操作処理の手順の一例について説明する。ここで、ステップＳ１，Ｓ２，・・・は、制御部１６により実行される処理手順（ステップ）の番号を表している。なお、前記カード操作処理は、例えば、画像処理装置１の電源がオンされたことに応じて開始され、その後、画像処理装置１の電源がオフされたことに応じて終了される。
【００２９】
＜ステップＳ１＞
まず、ステップＳ１において、制御部１６は、カードリーダー１７からの信号に基づいて、カードリーダー１７によってＩＣカード２０が検知されたか否かを判断する。そして、ＩＣカード２０が検知されたと判断されると（Ｓ１：Ｙｅｓ）、処理がステップＳ２に移行する。一方、ＩＣカード２０が検知されていないと判断されると（Ｓ１：Ｎｏ）、ＩＣカード２０が検知されたと判断されるまで、ステップＳ１の処理が繰り返される。
【００３０】
＜ステップＳ２＞
ステップＳ２において、制御部１６は、ステップＳ１でＩＣカード２０が検知されたと判断されてから一定時間Ｐ１（本発明の「予め定められた時間」の一例）が経過したか否かを判断する。そして、一定時間Ｐ１が経過したと判断されると（Ｓ２：Ｙｅｓ）、処理がステップＳ３に移行する。一方、一定時間Ｐ１が経過していないと判断されると（Ｓ２：Ｎｏ）、一定時間Ｐ１が経過したと判断されるまで、ステップＳ２の処理が繰り返される。
【００３１】
＜ステップＳ３＞
ステップＳ３において、制御部１６は、前記ステップＳ１でＩＣカード２０が検知されてから前記ステップＳ２で一定時間Ｐ１が経過したと判断されるまでの期間のカードリーダー１７からの信号に基づいて、ＩＣカード２０の検知パターンを判定する。例えば、制御部１６は、図３に示されるカード操作情報３０に含まれている複数の検知パターンのうちのいずれの検知パターンでＩＣカード２０が検知されたかを判定する。
【００３２】
図５及び図６は、カードリーダー１７からの信号の一例を示している。カードリーダー１７によってＩＣカード２０が検知されていない間は、カードリーダー１７からの信号はＬレベルとなり、カードリーダー１７によってＩＣカード２０が検知されている間は、カードリーダー１７からの信号はＨレベルとなる。
【００３３】
図５及び図６において、時刻Ｔｓは、前記ステップＳ１でＩＣカード２０が検知されたタイミングを示しており、時刻Ｔｅは、前記ステップＳ２で一定時間Ｐ１が経過したと判断されるタイミングを示している。図５は、時刻Ｔｓから一定時間Ｐ１以内にＩＣカード２０（同一のＩＣカード２０）が断続的に３回検知された場合のカードリーダー１７からの信号を示している。これは、一定時間Ｐ１の間にカードリーダー１７に同一のＩＣカード２０が３回かざされたことを意味している。図６は、時刻Ｔｓから一定時間Ｐ１以内に同一のＩＣカード２０が断続的に６回検知された場合のカードリーダー１７からの信号を示している。これは、一定時間Ｐ１の間にカードリーダー１７に同一のＩＣカード２０が６回かざされたことを意味している。
【００３４】
＜ステップＳ４＞
ステップＳ４において、制御部１６は、前記ステップＳ１でＩＣカード２０が検知されてから前記ステップＳ２で一定時間Ｐ１が経過したと判断されるまでの期間に同一のＩＣカード２０が複数回検知されたか否かを判断する。そして、同一のＩＣカード２０が複数回検知されたと判断されると（Ｓ４：Ｙｅｓ）、処理がステップＳ５に移行する。一方、同一のＩＣカード２０が１回しか検知されていないと判断されると（Ｓ４：Ｎｏ）、処理がステップＳ６に移行する。
【００３５】
＜ステップＳ５＞
ステップＳ５において、制御部１６は、例えば図３に示されるカード操作情報３０に基づいて、ステップＳ３で判定された検知パターンに対応する処理を実行する。例えば、カードリーダー１７から図５に示される信号が出力された場合には、制御部１６は、カードリーダー１７にかざされたＩＣカード２０のユーザーの全ジョブを優先させる。具体的には、カードリーダー１７にかざされたＩＣカード２０のユーザーがユーザーＢである場合には、制御部１６は、図７に示されるジョブキュー４０に含まれているユーザーＢのジョブＢ１，Ｂ２，Ｂ３の優先順位を、図８に示されるように、他のユーザーのジョブの優先順位よりも高くする。
【００３６】
また、例えば、カードリーダー１７から図６に示される信号が出力された場合には、制御部１６は、カードリーダー１７にかざされたＩＣカード２０のユーザーのジョブを２個分キャンセルする。具体的には、カードリーダー１７にかざされたＩＣカード２０のユーザーがユーザーＢである場合には、制御部１６は、図７に示されるジョブキュー４０に含まれているユーザーＢのジョブＢ１，Ｂ２，Ｂ３のうち、例えば優先順位が高い方から２個分（すなわちジョブＢ１，Ｂ２）をキャンセルする。その結果、ジョブキュー４０に含まれるユーザーＢのジョブは、図９に示されるようにジョブＢ３だけになる。
【００３７】
ステップＳ５の処理が終わると、処理が前記ステップＳ１に戻る。なお、他の実施形態では、ステップＳ５の処理が終わった後に、処理がステップＳ６に移行してもよい。
【００３８】
＜ステップＳ６＞
ステップＳ６において、制御部１６は、カードリーダー１７からの信号に基づいて、カード載置台１８にＩＣカード２０が置かれているか否かを判断する。そして、カード載置台１８にＩＣカード２０が置かれていると判断されると（Ｓ６：Ｙｅｓ）、処理がステップＳ７に移行する。一方、カード載置台１８にＩＣカード２０が置かれていないと判断されると、処理が前記ステップＳ１に戻る。
【００３９】
＜ステップＳ７＞
ステップＳ７において、制御部１６は、カードリーダー１７によりＩＣカード２０から読み取られる認証情報に基づいてユーザー認証を行い、ログイン処理を行う。
【００４０】
＜ステップＳ８＞
ステップＳ８において、制御部１６は、カードリーダー１７からの信号に基づいて、カード載置台１８にＩＣカード２０が置かれているか否かを判断する。そして、カード載置台１８にＩＣカード２０が置かれていないと判断されると（Ｓ８：Ｎｏ）、処理がステップＳ９に移行する。一方、カード載置台１８にＩＣカード２０が置かれていると判断されると（Ｓ８：Ｙｅｓ）、カード載置台１８にＩＣカード２０が置かれていないと判断されるまで、ステップＳ８の処理が繰り返される。
【００４１】
＜ステップＳ９＞
ステップＳ９において、制御部１６は、ログインしていたユーザーに関するログアウト処理を実行する。そして、処理が前記ステップＳ１に戻る。
【００４２】
なお、前記ステップＳ６〜Ｓ９の処理は、制御部１６の認証処理部１６１によって実行される。また、前記ステップＳ１〜Ｓ５の処理は、制御部１６の処理実行部１６２によって実行される。
【００４３】
以上のように、本実施形態に係る画像処理装置１によれば、ユーザーは、カードリーダー１７にＩＣカード２０を一定時間Ｐ１以内に所定回数かざすことによって、自分のジョブの優先順位を高くしたり、自分のジョブをキャンセルしたりすることができる。
【００４４】
［変形例］
なお、上記実施形態では、ＩＣカード２０の検知パターンに応じてジョブの優先順位が変更される、もしくはジョブがキャンセルされるが、本発明はこれに限定されない。他の実施形態では、ＩＣカード２０の検知パターンに応じて任意の処理が実行されてもよい。
【００４５】
また、他の実施形態では、カードリーダー１７によりＩＣカード２０が検知されてから処理実行部１６２により前記処理（前記検知パターンに対応付けられた処理）が実行されるまでの間に、表示制御部１６４が、前記処理に関連する情報を操作表示部１０に表示してもよい。例えば、カードリーダー１７によりＩＣカード２０が２回検知されたときに、表示制御部１６４は、図１０に示されるカード操作リスト画面５０を操作表示部１０に表示してもよい。当該カード操作リスト画面５０には、例えば、ＩＣカード２０がかざされた回数（現在の回数）、一定時間Ｐ１の残り時間、ＩＣカード２０を複数回かざすことによって実行される処理のリストなどが表示される。これにより、ユーザーは、図１０に示されるカード操作リスト画面５０を見ることで、例えば、ＩＣカード２０をこれ以上かざさなければ自分の全ジョブが優先的に処理されるということを、把握することができる。また、ユーザーは、図１０に示されるカード操作リスト画面５０を見ることで、例えば、ＩＣカード２０をさらに２回かざせば自分のジョブが１個キャンセルされるということを、把握することができる。
【００４６】
また、他の実施形態では、例えば、カードリーダー１７によりＩＣカード２０が２回検知されたときに、表示制御部１６４は、図１０に示されるカード操作リスト画面５０を操作表示部１０に表示してもよい。そして、図１０に示されるカード操作リスト画面５０に表示されている複数の処理のうちのいずれかがユーザーによってタッチされた場合に、当該タッチされた処理が実行されてもよい。これにより、ユーザーは、例えば、ＩＣカード２０を７回かざす代わりに、ＩＣカード２０を２回かざした後に表示されるカード操作リスト画面５０をタッチすることによって自分のジョブを３個キャンセルすることができる。
【００４７】
また、上記実施形態では、カードリーダー１７により同一のＩＣカード２０が一定時間Ｐ１以内に断続的に複数回検知されたときの検知パターンに応じて、当該検知パターンに対応する処理が実行されるが、本発明はこれに限定されない。例えば、他の実施形態では、カードリーダー１７により同一のＩＣカード２０が一定時間Ｐ２（本発明の「予め定められた時間間隔」の一例）を空けずに断続的に複数回検知されたときの検知パターンに応じて、当該検知パターンに対応する処理が実行されてもよい。図１１は、カードリーダー１７により同一のＩＣカード２０が一定時間Ｐ２を空けずに断続的に３回検知されたときのカードリーダー１７の信号を示している。この場合、制御部１６は、時刻Ｔｅの時点で検知パターンを判定することができる。また、図１２は、カードリーダー１７により同一のＩＣカード２０が一定時間Ｐ２を空けずに断続的に６回検知されたときのカードリーダー１７の信号を示している。この場合も、制御部１６は、時刻Ｔｅの時点で検知パターンを判定することができる。
【００４８】
また、上記実施形態では、カードリーダー１７により同一のＩＣカード２０が断続的に複数回検知されたときの検知回数に基づいてＩＣカード２０の検知パターンが判定されるが、本発明はこれに限定されない。例の実施形態では、処理実行部１６２は、カードリーダー１７により同一のＩＣカード２０が断続的に複数回検知されたときの検知回数及び検知間隔の少なくとも一方に基づいて前記検知パターンを判定してもよい。例えば、処理実行部１６２は、図１３に示されるように、ＩＣカード２０が最初に検知された時刻Ｔｓから一定時間Ｐ３が経過した後（ただし時刻Ｔｓから一定時間Ｐ４が経過する前まで）に、同一のＩＣカード２０が一定時間Ｐ２を空けずに断続的にＮ回（ただしＮ≧２）検知された場合に、当該ＩＣカード２０のユーザーのジョブの優先順位が（Ｎ−１）ステップ分だけ高くなるように変更されてもよい。例えば、図１３に示される例ではＮ＝３であるので、当該ＩＣカード２０のユーザーのジョブの優先順位が２ステップ分だけ高くなるように変更される。その結果、例えば、カードリーダー１７にかざされたＩＣカード２０のユーザーがユーザーＢである場合には、図７に示されるジョブキュー４０に含まれるユーザーＢのジョブＢ１，Ｂ２，Ｂ３の各々の優先順位が、図９に示されるように、２ステップ分だけ高くなるように変更される。
【符号の説明】
【００４９】
１  画像処理装置
１５  記憶部
１６  制御部
１７  カードリーダー
１８  カード載置台
２０  ＩＣカード
３０  カード操作情報
４０  ジョブキュー
５０  カード操作リスト画面
１６１  認証処理部
１６２  処理実行部
１６３  ジョブ管理部
１６４  表示制御部
【図１】
2018034319.tif 000003
【図２】
2018034319.tif 000004
【図３】
2018034319.tif 000005
【図４】
2018034319.tif 000006
【図５】
2018034319.tif 000007
【図６】
2018034319.tif 000008
【図７】
2018034319.tif 000009
【図８】
2018034319.tif 000010
【図９】
2018034319.tif 000011
【図１０】
2018034319.tif 000012
【図１１】
2018034319.tif 000013
【図１２】
2018034319.tif 000014
【図１３】
2018034319.tif 000015
【図１４】
2018034319.tif 000016